(57)【要約】【課題】枠体が目立たない天板部においても、その本体板の後方に後板を正確に位置決めして固定できる加熱調理器を提供する。【解決手段】トッププレート３は、ガラス板１１、後板１２、枠体１３を備える。ガラス板１１は、使用者側に配置され、後板１２よりも幅がやや広い。後板１２は、ガラス板１１の後方に配置され、略中央にグリル排気口７を備える。枠体１３は、ガラス板１１及び後板１２を前後に配置した状態で下側から支持する。枠体１３のうちガラス板１１を支持する本体板支持部４１は、ガラス板１１の下側に且つガラス板１１の外周よりも内側に固定される。枠体１３のうち後板１２を支持する後板支持部４２には、後板１２の周囲のリブ３２を上側から嵌合させる為の溝部４８が設けられている。それ故、枠体１３が目立たないトッププレート３でも、ガラス板１１の後方に後板１２を正確に位置決めして固定できる。【選択図】図４
2015040658.tif 000002
【特許請求の範囲】
【請求項１】
器具本体の上面開口を覆う矩形板状の天板部を備えた加熱調理器であって、
前記天板部は、
矩形状の本体板と、
前記本体板の後方に配置され、前記器具本体に設置されるグリル庫に連通するグリル排気口を備えた後板と、
前記本体板及び前記後板を前後に配置した状態で下側から支持する枠体と
を備え、
前記枠体のうち前記本体板を支持する部位である本体板支持部は、前記本体板の下側に且つ前記本体板の外周よりも内側において固定され、
前記枠体のうち前記後板を支持する部位である後板支持部には、前記後板の周囲を上側から嵌合させる為の被嵌合部が設けられていることを特徴とする加熱調理器。
【請求項２】
前記後板は、前端部を除く外周に沿って下方に突出するリブを備え、
前記被嵌合部は、前記リブを上側から嵌合可能な溝部であることを特徴とする請求項１に記載の加熱調理器。
【請求項３】
前記本体板の左右の幅は、前記後板の左右の幅よりも長く、
前記後板の前記前端部には、前方に下り傾斜する傾斜部が設けられ、
前記本体板の少なくとも後端側の両角部はテーパ状に各々形成され、
前記本体板及び前記後板が前記枠体に支持された状態では、前記後板の前記傾斜部は、前記本体板の後端部と、当該後端部に連結する前記両角部の夫々の一部とに対して上側から被さり、
さらに、前記後板の左右両端部に夫々設けられた前記リブよりも外側に、前記両角部の夫々の前記一部を除く残りの部位と、当該残りの部位に連結する前記本体板の左右の側端部とが、夫々外方に張り出していることを特徴とする請求項２に記載の加熱調理器。
【発明の詳細な説明】
【技術分野】
【０００１】
本発明は、器具本体の上部に天板部を備えた加熱調理器に関する。
【背景技術】
【０００２】
従来、例えばビルトインコンロでは、コンロ部が設けられるガラス板（本体板）と、グリル部の排気口が設けられるアルミ製の中板（後板）とからなる矩形の天板の外周縁に、アルミニウムを押し出し成形してなる外枠（枠体）を接合して形成する天板構造が知られている。例えば、外枠の上端側に、中板の上面に当接する庇部を突設する一方、外枠における中板との接合面で中板より下方に形成される下溝に、中板の下面に当接する支持部を上端に備えたつなぎ板を差し込み固定し、庇部とつなぎ板の支持部とで中板を挟持させた加熱調理器の天板構造が知られている（例えば、特許文献１参照）。
【先行技術文献】
【特許文献】
【０００３】
【特許文献１】特開２００８−２７５４号公報
【発明の概要】
【発明が解決しようとする課題】
【０００４】
しかしながら、特許文献１に記載の天板構造では、外枠の庇部が天板の上面に位置するので、調理時の煮こぼれ等が天板上に落ち、庇部と天板の間に入り込むと、汚れが付着して美観を損ねる場合がある。加えて外枠は天板の上面よりも上方にはみ出しており、また、天板の側方にも張り出しているため、天板本体と比べて目立つ。このような外枠を有する天板本体に、例えばガラスコートを施して見栄えをよくしようとしても、外枠が目立つがゆえに、天板全体としての美観向上にはつながりにくい。
【０００５】
そこで、天板の美感を向上させる為に、外枠をガラス板の下側に位置させようとすると、上記特許文献１に記載の天板構造のように、外枠により、ガラス板及び中板と、ガラス板等の下側に設けられた裏板とを上下から挟持する構造は採用できないという問題点があった。
【０００６】
本発明の目的は、枠体が目立たない天板部においても、その本体板の後方に後板を正確に位置決めして固定できる加熱調理器を提供することである。
【課題を解決するための手段】
【０００７】
本発明の請求項１に係る発明の加熱調理器は、器具本体の上面開口を覆う矩形板状の天板部を備えた加熱調理器であって、前記天板部は、矩形状の本体板と、前記本体板の後方に配置され、前記器具本体に設置されるグリル庫に連通するグリル排気口を備えた後板と、前記本体板及び前記後板を前後に配置した状態で下側から支持する枠体とを備え、前記枠体のうち前記本体板を支持する部位である本体板支持部は、前記本体板の下側に且つ前記本体板の外周よりも内側において固定され、前記枠体のうち前記後板を支持する部位である後板支持部には、前記後板の周囲を上側から嵌合させる為の被嵌合部が設けられていることを特徴とする。
【０００８】
また、請求項２に係る発明の加熱調理器は、請求項１に記載の発明の構成に加え、前記後板は、前端部を除く外周に沿って下方に突出するリブを備え、前記被嵌合部は、前記リブを上側から嵌合可能な溝部であることを特徴とする。
【０００９】
また、請求項３に係る発明の加熱調理器は、請求項２に記載の発明の構成に加え、前記本体板の左右の幅は、前記後板の左右の幅よりも長く、前記後板の前記前端部には、前方に下り傾斜する傾斜部が設けられ、前記本体板の少なくとも後端側の両角部はテーパ状に各々形成され、前記本体板及び前記後板が前記枠体に支持された状態では、前記後板の前記傾斜部は、前記本体板の後端部と、当該後端部に連結する前記両角部の夫々の一部とに対して上側から被さり、さらに、前記後板の左右両端部に夫々設けられた前記リブよりも外側に、前記両角部の夫々の前記一部を除く残りの部位と、当該残りの部位に連結する前記本体板の左右の側端部とが、夫々外方に張り出していることを特徴とする。
【発明の効果】
【００１０】
請求項１に係る発明の加熱調理器では、枠体のうち後板を支持する部位である後板支持部に被嵌合部が設けられており、その被嵌合部に対し、後板の周囲を上側から嵌合させることができる。これにより、本体板の外周がそのまま天板部の外周部となることで枠体の目立たない天板部においても、その本体板の後方に後板を正確に位置決めして固定できる。
【００１１】
また、請求項２に係る発明の加熱調理器では、請求項１に記載の発明の効果に加え、後板の前端部を除く外周に沿って設けられたリブを、枠体の後板支持部に設けられた被嵌合部である溝部に嵌合させることによって、本体板の後方に後板を正確に位置決めして固定できる。
【００１２】
また、請求項３に係る発明の加熱調理器では、請求項２に記載の発明の効果に加え、後板の傾斜部は、本体板の後端部と、当該後端部に連結する両角部の夫々の一部とに対して上側から被さるので、本体板と後板のつなぎ目をなだらかにすることができる。また、本体板の幅を後板の幅よりも広くすることで、後板よりも本体板をより目立たせることができる。
【図面の簡単な説明】
【００１３】
【図１】コンロ１の全体斜視図である。
【図２】トッププレート３の斜視図である。
【図３】トッププレート３の平面図である。
【図４】トッププレート３の上側から見た分解斜視図である。
【図５】トッププレート３の下側から見た分解斜視図である。
【図６】図３に示すＩ−Ｉ線矢視方向断面図である。
【図７】図２におけるガラス板１１の角部２６周囲の部分拡大図である。
【図８】図２におけるガラス板１１の角部２７周囲の部分拡大図である。
【発明を実施するための形態】
【００１４】
以下、本発明の一実施形態について、図面に基づいて説明する。図１，図２において、左斜め下方、右斜め上方、右斜め下方、左斜め上方を、夫々、コンロ１及びトッププレート３の前方、後方、右方、左方とする。
【００１５】
先ず、コンロ１の全体構造について説明する。コンロ１は、図示しないキッチンのカウンタトップに設けられた開口に落とし込まれて設置されるビルトインコンロである。図１に示すように、コンロ１は略直方体状の器具本体２を備える。器具本体２の上部には、トッププレート３（本発明の「天板部」に相当）が取り付けられている。トッププレート３の前側には、ガラス板１１が設けられ、後ろ側には後板１２が設けられている。ガラス板１１の右手前には右バーナ４、左手前には左バーナ５、中央奥側には奥バーナ６が夫々設けられている。後板１２の中央には、器具本体２内に設置されるグリル庫（図示略）と連通するグリル排気口７が設けられ、該グリル排気口７には、遮炎カバー７Ａが設置されている。
【００１６】
そして、図２に示すように、トッププレート３において、ガラス板１１及び後板１２の下側には、後述する枠体１３が設けられている。枠体１３は、ガラス板１１及び後板１２を下側から支持している。図３に示すように、トッププレート３を平面視で見たときに、枠体１３の外周面は、ガラス板１１の前端部１１Ａ、左端部１１Ｂ、及び右端部１１Ｃにおいて、各端部の外周面よりもやや内側に配置されているため、枠体１３は目立たないようになっている。それ故、トッププレート３において、ガラス板１１の存在感が増すと共に、ガラス特有の清潔でシャープな印象を使用者に与えることができる。
【００１７】
また、器具本体２の前面には、グリル扉８が設けられている。グリル扉８は、グリル庫内に設けられたレールユニット（図示略）によって前後方向にスライド可能である。グリル扉８の前面上部には取手部９が設けられている。使用者は、取手部９に下側から指を掛けてグリル扉８を手前側に引き出すと、レールユニットによる伸長動作により、図示しない焼き網と受皿をグリル庫から外部に同時に取り出すことができる。
【００１８】
次に、トッププレート３の構造について具体的に説明する。図２，図３に示すように、トッププレート３は平面視矩形状に形成され、器具本体２（図１参照）の上部開口を覆い且つ外方に張り出した外周縁部を備える。そして、図４，図５に示すように、トッププレート３は、ガラス板１１（本発明の「本体板」に相当）、後板１２、枠体１３、第一裏板１４、第二裏板１５を備え、これらを互いに組み合わせることによって一枚のプレートを構成している。
【００１９】
次に、ガラス板１１の形状について説明する。図４に示すように、ガラス板１１は、平面視矩形状に形成され、右手前にはバーナ開口２１、左手前にはバーナ開口２２、中央奥側にはバーナ開口２３が夫々設けられている。バーナ開口２１〜２３は円形状に形成され、夫々、金属製の口金７１，７２，７３（図２，図３参照）が夫々取り付けられる。バーナ開口２１には右バーナ４、バーナ開口２２には左バーナ５、バーナ開口２３には奥バーナ６が、後述する第一裏板１４及び第二裏板１５を介して下側から夫々挿入される。
【００２０】
さらに、ガラス板１１は、前端部１１Ａ、左端部１１Ｂ、右端部１１Ｃ、後端部１１Ｄ、及び４つの角部２４〜２７を備える。角部２４はガラス板１１の左側前方の角部、角部２５はガラス板１１の右側前方の角部、角部２６はガラス板１１の左側後方の角部、角部２７はガラス板１１の右側後方の角部である。後端部１１Ｄを除く外周縁部である前端部１１Ａ、左端部１１Ｂ、及び右端部１１Ｃの上面は、外方に向かって緩やかに下り傾斜するテーパ状に夫々形成されている。これにより、ガラス板１１の外部に露出する端部周辺の美観を向上させる共に、各端部が使用者に接触した場合の安全性も向上できる。
【００２１】
そして、本実施形態では特に、図３に示すように、ガラス板１１の左右の幅Ｌ１が、後述する後板１２の左右の幅Ｌ２よりもやや広くなっている。これにより、トッププレート３において、使用者側に位置するガラス板１１を、後板１２よりもより目立たせることができるので、ガラス特有の清潔でシャープな印象を使用者により強く与えることができる。
【００２２】
次に、後板１２の形状について説明する。図２，図３に示すように、後板１２は、平面視横長の矩形状に形成され、アルミ製である。図４，図５に示すように、後板１２は、左右の幅方向に沿った断面が下方に開口するコの字型のカバー状に形成されている。後板１２は上壁３１とリブ３２を備える。上壁３１は平面視横長の矩形状に形成され、その中央にはグリル排気口７が設けられている。リブ３２は、上壁３１の左端部、右端部、及び後端部に沿って下方に突出して設けられている。それ故、後板１２の前面は、上壁３１の前端部３３と、その左右両側に夫々位置するリブ３２とによって、下側に開口する正面視コの字型（図６参照）に形成されている。さらに、上壁３１の前端部３３（本発明の「傾斜部」に相当）は前方に向かって緩やかに下り傾斜するテーパ状に形成されている。
【００２３】
次に、枠体１３の形状について説明する。図４，図５に示すように、枠体１３は、平面視矩形状のアルミ製の枠部材である。枠体１３は本体板支持部４１と後板支持部４２を備える。本体板支持部４１は、枠体１３の前側と中央を占める大部分であって、ガラス板１１を下側から支持する部位である。後板支持部４２は、枠体１３のうち本体板支持部４１を除く残りの部分であって、後板１２を下側から支持する部位である。本体板支持部４１の大きさは、ガラス板１１の下側に配置されたときに、本体板支持部４１の外周面がガラス板１１の外周縁部よりもやや内側に配置されるように、ガラス板１１よりもやや小さく設計されている。他方、後板支持部４２の左右の幅は、本体板支持部４１の左右の幅と同一とし、後板１２の前後方向の長さに対応するように設計されている。
【００２４】
そして、枠体１３の前端部の内縁部には、後方に向かって略水平に延出する舌片４４が設けられ、枠体１３の左端部の内縁部には、右方に向かって略水平に延出する平面視細長の矩形状の舌片４５（図５参照）が設けられ、枠体１３の右端部の内縁部には、左方に向かって略水平に延出する平面視細長の矩形状の舌片４６が設けられ、枠体１３の後端部の内縁部には、前方に向かって略水平に延出する平面視細長の矩形状の舌片４７が設けられている。なお、後述するが、舌片４４〜４６は、ガラス板１１の下面に接着される部分である。舌片４７は、後板１２の上壁３１の下面に接触して固定される部分であり、後板１２の上壁３１に固定する為の複数の固定穴４７Ａを備える。
【００２５】
さらに、後板支持部４２の上部には、後板支持部４２の上部形状に沿って断面コの字型の溝部４８（本発明の「被嵌合部」に相当）が設けられている。溝部４８には、後板１２のリブ３２が上方から差し込まれて嵌合するようになっている。
【００２６】
また、図６に示すように、枠体１３の下部には、平面状の固定面１３Ａが設けられている。固定面１３Ａには、樹脂製のパッキン７０が接着剤で固定される。パッキン７０は、トッププレート３の枠体１３と、器具本体２の上部の開口端との間で押し潰されることによって、枠体１３と器具本体２の開口端との隙間を埋めることができる。さらに、固定面１３Ａの外側には、下方に突出するリブ１３Ｂが設けられている。リブ１３Ｂは、固定面１３Ａに固定するパッキン７０の位置ずれを防止することができる。また、リブ１３Ｂは、押し潰されたパッキン７０を外方に対して隠すことができるので、トッププレート３周囲の美感を向上できる。
【００２７】
次に、第一裏板１４の形状について説明する。図４，図５に示すように、第一裏板１４は、平面視矩形状に形成され、ガラス板１１の下面と後板１２の下面に固定される金属板である。第一裏板１４は、枠体１３と共に、板１２を支持し、且つガラス板１１のバーナ開口２１〜２３周囲の熱を放出する放熱板としても機能する。第一裏板１４の右手前には開口５１、左手前には開口５２、中央奥側には開口５３（図５参照）、さらに奥側には開口５８が夫々設けられている。開口５１〜５３は円形状、開口５８はグリル排気口７と同じ矩形状である。開口５１はガラス板１１のバーナ開口２１、開口５２はガラス板１１のバーナ開口２２、開口５３はガラス板１１のバーナ開口２３、開口５８は後板１２のグリル排気口７に夫々対応している。
【００２８】
また、図４に示すように、第一裏板１４の前端部には、前方に向かって略水平に延出する舌片５４が設けられ、第一裏板１４の左端部には、左方に向かって略水平に延出する平面視細長の矩形状の舌片５５が設けられ、第一裏板１４の右端部には、右方に向かって略水平に延出する平面視細長の矩形状の舌片５６が設けられ、第一裏板１４の後端部には、後方に向かって略水平に延出する平面視細長の矩形状の舌片５７が設けられている。なお、舌片５４〜５７の上面は、第一裏板１４の上面よりも所定厚分下がっている（舌片５６においては図６参照）。所定厚とは、枠体１３の舌片４４〜４７の厚みに相当する厚さである。舌片５４は枠体１３の舌片４４、舌片５５は枠体１３の舌片４５、舌片５６は枠体１３の舌片４６、舌片５７は枠体１３の舌片４７に夫々対応する。
【００２９】
次に、第二裏板１５の形状について説明する。図４，図５に示すように、第二裏板１５は、平面視矩形状に形成され、第一裏板１４の下面に螺子９２（図５参照）でさらに固定される金属板である。第二裏板１５の大きさは、第一裏板１４の開口５８を含む後端側を除く大きさに相当する。第二裏板１５は、各バーナ４〜６（図１参照）の燃焼に伴う第一裏板１４の開口５１〜５３周囲の温度上昇による反りを防止すると共に、放熱板としても機能する。第二裏板１５の右手前には開口６１、左手前には開口６２が夫々設けられている。開口６１は、ガラス板１１のバーナ開口２１、及び第一裏板１４の開口５１に対応し、各開口２１，５１よりも大きい矩形状である。開口６２は、ガラス板１１のバーナ開口２２、及び第一裏板１４の開口５２に対応し、各開口２２，５２よりも大きい矩形状である。さらに、第二裏板１５の後端部には、前方に向かって凹状に切り欠いた切欠き部６３が設けられている。切欠き部６３は、ガラス板１１のバーナ開口２３、及び第一裏板１４の開口５３に対応し、各開口２３，５３を包含する程度の矩形状である。
【００３０】
次に、上記構造を有するトッププレート３の組立方法について説明する。なお、以下説明する組立方法の順番と向き等は一例に過ぎないので、組立構造が最終的に同じであれば、組み立てる順番と向き等を変更してもよい。
【００３１】
先ず、図４，図５に示すように、枠体１３の本体板支持部４１に対してガラス板１１を上方から固定する。具体的には、枠体１３の舌片４４上に対して、ガラス板１１の前端部１１Ａの下面を接着剤で固定し、枠体１３の舌片４５上に対して、左端部１１Ｂの下面を接着剤で固定し、枠体１３の舌片４４上に対して、右端部１１Ｃの下面を接着剤で固定する。これにより、枠体１３の本体板支持部４１の上部の所定位置にガラス板１１が固定され、図１〜図３，図８に示すように、枠体１３の本体板支持部４１の外周面は、ガラス板１１の前端部１１Ａ、左端部１１Ｂ、及び右端部１１Ｃよりもやや内側に位置するようになっている。
【００３２】
さらに、枠体１３の後板支持部４２に対して上方から、後板１２を固定する。具体的には、後板支持部４２の上部に沿って設けられた溝部４８に対し、後板１２のリブ３２を上方から差し込んで嵌合させる。このとき、本体板支持部４１に先に固定したガラス板１１の後端部１１Ｄに対して、後板１２の前端部３３を被せる。なお、この部分の合わせ構造については後述する。さらに、後板１２の上壁３１に対して、枠体１３の後板支持部４２の舌片４７を下側から４本の螺子９１で固定する。これにより、後板１２を枠体１３の後板支持部４２上に安定して支持することができる。
【００３３】
次いで、第一裏板１４の上面を、ガラス板１１の下面に対して、枠体１３を間に挟むようにして、接着剤で固定する。このとき、図４〜図６に示すように、枠体１３の舌片４４、４５、４６、４７に対して、第一裏板１４の舌片５４、５５、５６、５７を夫々当接させる。これにより、枠体１３、ガラス板１１及び後板１２に対して、第一裏板１４を正確に位置決めすることができる。そして、ガラス板１１のバーナ開口２１〜２３に対して、第一裏板１４の開口５１〜５３が夫々配置され、後板１２のグリル排気口７に対して、第一裏板１４の開口５８が配置される。よって、第一裏板１４を、枠体１３、ガラス板１１及び後板１２に対してずれることなく、容易に固定することができる。
【００３４】
さらに、図４〜図６に示すように、第二裏板１５の上面を、第一裏板１４の下面に対して当接させ、第一裏板１４の開口５１，５２に対して、第二裏板１５の開口６１，６２を夫々配置し、第一裏板１４の開口５８に対して、第二裏板１５の切欠き部６３を配置した上で、第二裏板１５を第一裏板１４に対して５本の螺子９２で固定する。これにより、第一裏板１４に第二裏板１５が固定される。こうして、図２，図３に示す一枚のトッププレート３が完成する。このように、トッププレート３では、ガラス板１１と後板１２を枠体１３で下側から確実に支持すると共に、その下側に、第一裏板１４と第二裏板１５を重ねて固定する構造を採用しているので、高い剛性と高い放熱性を備えることができる。
【００３５】
次に、トッププレート３におけるガラス板１１と後板１２の合わせ部分の構造について説明する。上記の通り、本実施形態では、トッププレート３の前側にガラス板１１、後ろ側に後板１２を配置した上で、ガラス板１１をより目立たせる為に、ガラス板１１の幅Ｌ１を、後板１２の幅Ｌ２よりもやや長くしている（図３参照）。そして、後板１２の前端側の開口形状は、上壁３１の左右の両端部からリブ３２が下方に突出するコの字型である。
【００３６】
そのような後板１２の前端側に対して、ガラス板１１の後端部１１Ｄを合わせる為に、本実施形態では、ガラス板１１の後ろ側の左右の両角部２６，２７はテーパ状に形成されている（図４参照）。そして、ガラス板１１の後端部１１Ｄに対して、後板１２の前端部３３を組み合わせる際に、図７，図８に示すように、後板１２の前端部３３とリブ３２で形成される開口の内側を、ガラス板１１の後端部１１Ｄと、当該後端部１１Ｄに連結する両角部２６，２７の夫々の片側一部とに対して被せるように配置する。
【００３７】
そして、このように配置することで、両角部２６，２７のうち、後板１２の前端部３３が被さった夫々の片側一部を除く残りの部位と、当該残りの部位に連結するガラス板１１の左端部１１Ｂ及び右端部１１Ｃとを夫々外方に張り出すことができる。これにより、後板１２に対して、後板１２よりも幅の広いガラス板１１を隙間なく連結することができる。そして、後板１２からガラス板１１に変わる位置で、ガラス板１１の左端部１１Ｂ及び右端部１１Ｃが、両角部２６，２７の夫々の外側のテーパ部分を利用して、後板１２の左右夫々のリブ３２から円弧状に外方に張り出している。これにより、ガラス板１１と後板１２の合わせ部分を、デザイン上途切れることの無い自然な連続形状で繋ぐことができる。これにより、ガラス板１１と後板１２の合わせ部分の美感を向上させることができる。
【００３８】
さらに、上記の通り、後板１２の前端部３３は前方に向かって緩やかに下り傾斜するテーパ状に形成されている。これにより、ガラス板１１と後板１２の合わせ部分をなだらかに繋ぐことができるので、ガラス板１１と後板１２の合わせ部分における美感を向上させることができる。
【００３９】
以上説明したように、本実施形態のコンロ１は、器具本体２の上部に、トッププレート３を取り付けている。トッププレート３は、ガラス板１１、後板１２、及び枠体１３を備える。後板１２は、ガラス板１１の後方に配置され、グリル排気口７を備える。枠体１３は、ガラス板１１及び後板１２を前後に配置した状態で下側から支持する。そして、枠体１３のうち、ガラス板１１を支持する部位である本体板支持部４１は、ガラス板１１の下側に且つガラス板１１の外周よりも内側において固定される。他方、枠体１３のうち後板１２を支持する部位である後板支持部４２には、後板１２の周囲のリブ３２を上側から嵌合させる為の溝部４８が設けられている。これにより、ガラス板１１の外周がそのまま外周部となるトッププレート３においても、そのガラス板１１の後方に後板１２を正確に位置決めして固定できる。
【００４０】
なお、本発明は上記実施形態に限定されるものではなく、種々の変更が可能である。上記実施形態では、ビルトインコンロであるコンロ１を本発明の一例として説明したが、テーブルコンロでもよい。また、ガスコンロ以外に、電磁調理器にも適用可能である。
【００４１】
また、上記実施形態において、ガラス板１１の後端部１１Ｄの上面は平面であるが、例えば後方に向かって下り傾斜するテーパ面を施してもよい。この場合、ガラス板１１と後板１２の合わせ部分について、後板１２の前端部３３のテーパ形状と、ガラス板１１の後端部１１Ｄのテーパ形状で繋ぐことができるので、上記実施形態とは異なった印象で、ガラス板１１と後板１２を繋ぐことができる。
【００４２】
また、上記実施形態では、トッププレート３の「本体板」としてガラス板１１を採用しているが、材質はガラスに限定されず、例えば、金属板や、ホーロー処理を施した金属板でもよい。
【００４３】
また、上記実施形態では、後板１２のリブ３２を、枠体１３の後板支持部４２の上部に設けた溝部４８に嵌合させているが、これ以外の嵌合構造でもよく、例えば、リブ３２の下部に溝部を設け、該溝部に対し、枠体１３の後板支持部４２の上部を差し込んで嵌合させるものでもよい。また、リブ形状でなくても、溝に嵌合する突起形状であればよい。
【符号の説明】
【００４４】
１      コンロ
２      器具本体
３      トッププレート
７      グリル排気口
１１      ガラス板
１１Ａ  前端部
１１Ｂ  左端部
１１Ｃ  右端部
１１Ｄ  後端部
１２      後板
１３      枠体
１３Ｂ      リブ
２６      角部
２７      角部
３１      上壁
３２      リブ
３３      前端部
４１      本体板支持部
４２      後板支持部
４８      溝部
【図１】
2015040658.tif 000003
【図２】
2015040658.tif 000004
【図３】
2015040658.tif 000005
【図４】
2015040658.tif 000006
【図５】
2015040658.tif 000007
【図６】
2015040658.tif 000008
【図７】
2015040658.tif 000009
【図８】
2015040658.tif 000010